Podtech/llm-jp-corpus-v4-ja_patent huggingface dataset:
(57)【要約】      （修正有）【課題】調理食材をそぼろ状にする際、手早く簡単に、短時間で効率よくそぼろを作ることができる調理用具を提供する。【解決手段】攪拌調理用具の平面板底面１の適数箇所に適数個の適数寸法の棒状突起物３を設けることで、１本で手早く簡単に、細かく粒の揃ったそぼろが効率よくできる。【選択図】図１
2010178870.tif 000002
【特許請求の範囲】
【請求項１】
平面板底面の適数箇所に適数個の適数寸法の棒状突起物を設け、平面板上部から上方に向かって持ち手棒を設けた食材用攪拌調理用具。
【請求項２】
前記平面板の外形形状を四角等の角のある形状は、フライパン等に角がぶつかる為、楕円形状に形成したことを特徴とする請求項１に記載の食材用攪拌調理用具。
【請求項３】
前記の棒状突起物を先細り状に形成したことを特徴とする請求項１又は２記載の食材用攪拌調理用具。
【発明の詳細な説明】
【技術分野】
【０００１】
本発明は、食材をかき混ぜる調理の際に必要とする便利な調理用具である。          
【背景技術】
【０００２】
従来は、玉子・ひき肉等の食物をそぼろ状に調理する際は、菜箸を何本も束ねて使用しており、１本で手早く、簡単に出来る物がなかった。
【先行技術文献】
【特許文献】
【０００３】
【特許文献１】特開２００４−２３０１５０
【発明の概要】
【発明が解決しようとする課題】
【０００４】
食物の混合やそぼろ状態に調理する際に、菜箸を何本も束ねて使用する必要があったが、本発明は、１本で手早く簡単でき、時間短縮も解消するものである。
【課題を解決するための手段】
【０００５】
平面板底面１の適数箇所に適数個の棒状突起物３を設け、平面板上部中央に持ち手棒２を設けることにより、菜箸を何本も束ねて使用する不便さの手間を省き、１本で手早く簡単に混合や分離させることを可能とし、不便さと時間短縮を解決した。
【発明の効果】
【０００６】
本発明は、１本で、菜箸数本分もの機能を持ち、ひき肉のそぼろ・スクランブルエッグ・チャーハン等の幅広い用途に使用でき、便利、且つ効率的である。
【０００７】
使用素材に耐熱ナイロン等を用いることで、軽量で衛生的であり、また、用具の表面を付着防止加工することで、用具に食材の付着させにくくし、フライパン等の調理用具にも傷が付きにくく、耐久性に富み経済的でもある。
【０００８】
持ち手を回転させ、パスタ・焼きそば等のめん類を巻きつけすくい取りをし、盛り付けにも対応できる。
【図面の簡単な説明】
【０００９】
【図１】本発明の攪拌調理用具の斜視図である。
【図２】本発明の攪拌調理用具の正面図である。
【図３】本発明の攪拌調理用具の上面図である。
【図４】本発明の攪拌調理用具の底面図である。
【発明を実施するための形態】
【００１０】
本発明の攪拌調理用具の構成及び作図を図面に基づいて説明する。
なお、図１は攪拌調理用具の斜視図、図面２〜４は正面・上面・底面を其々表す。
平面板底面１の棒状突起物３を、適数箇所に適数間隔に適数個設けることに寄り、
目詰まりを防ぎ、又、持ち手棒２を円筒状にすることで持ち易く効率も上がる。
【実施例】
【００１１】
次に本発明の攪拌調理用具使用方法を説明する。
持ち手棒２を上下左右に動かし、棒状突起物３で分離・混合し調理をする。
【符号の説明】
【００１２】
１    平面板。
２    持ち手。
３    棒状突起物。
【図１】
2010178870.tif 000003
【図２】
2010178870.tif 000004
【図３】
2010178870.tif 000005
【図４】
2010178870.tif 000006
(57)【要約】【課題】それ自身の駆動電源からノイズを発生させないようにしたノイズ低減装置及びそれを用いた電力変換装置を提供する。【解決手段】太陽光発電機１１を備えた太陽光発電装置１０と、太陽光発電装置１０の出力を駆動電源とするアクティブノイズキャンセラー１５とを備えたものである。【選択図】図１
2010178585.tif 000002
【特許請求の範囲】
【請求項１】
太陽光発電機を備えた太陽光発電装置と、
該太陽光発電装置の出力を駆動電源とするアクティブノイズキャンセラーと
を備えたことを特徴とするノイズ低減装置。
【請求項２】
前記太陽光発電装置は、
前記太陽光発電機により発電された電気エネルギーを蓄積する蓄電器を備えたことを特徴とする請求項１記載のノイズ低減装置。
【請求項３】
供給電力を所定の電力に変換して負荷に供給する電力変換回路と、
請求項１又は２記載のノイズ低減装置と
を備え、
前記ノイズ低減装置のアクティブノイズキャンセラーは、前記電力変換回路及び負荷から発生するノイズを低減することを特徴とする電力変換装置。
【発明の詳細な説明】
【技術分野】
【０００１】
本発明は、ノイズ低減装置及び電力変換装置に関し、特に、ノイズ低減装置に含まれるアクティブノイズキャンセラーの駆動電源に関するものである。
【背景技術】
【０００２】
従来、電力変換装置として例えば「高調波成分と無効電力とを吸収するアクティブフィルタ機能と電力変換機能を備えている多機能電力変換手段と、この多機能電力変換手段の直流側に接続したバッテリーと、別途電源と、この別途電源に接続して当該別途電源が出力する電力を制御する充電制御手段とで電力貯蔵型非常用電源装置を構成し、商用電源には交流スイッチを介して負荷を接続し、前記電力貯蔵型非常用電源装置を構成している多機能電力変換手段の交流側を前記交流スイッチの負荷側に接続する構成の装置…」が提案されている（例えば特許文献１参照）。
【先行技術文献】
【特許文献】
【０００３】
【特許文献１】特開平７−１４３６８８号公報（請求項１、図１）
【発明の概要】
【発明が解決しようとする課題】
【０００４】
上記の特許文献１の電力変換装置の多機能インバーターは、高調波電流や無効電流を抑制するためのアクティブフィルターの役目も果たしている。しかし、多機能インバータは、アクティブフィルターの駆動電源を得るために、商用電源の交流電源から直流電源を得るコンバーターの動作も行っており、アクティブフィルター自身も高調波や無効電流を発生させていた。このため、このアクティブフィルター自身がノイズを発生する等の問題点があった。
【０００５】
本発明は、上記のような課題を解決するためになされたものであり、それ自身の駆動電源からノイズを発生させないようにしたノイズ低減装置及びそれを用いた電力変換装置を提供することを目的とする。
【課題を解決するための手段】
【０００６】
本発明に係るノイズ低減装置は、太陽光発電機を備えた太陽光発電装置と、 該太陽光発電装置の出力を駆動電源とするアクティブノイズキャンセラーとを備えたものである。
【発明の効果】
【０００７】
本発明においては、アクティブノイズキャンセラーの駆動電源として太陽光発電装置の出力を用いており、このため、駆動電源がノイズを発生させること無く、アクティブノイズキャンセラーが接続機器のノイズを低減させることができる。
【図面の簡単な説明】
【０００８】
【図１】本発明の実施形態１に係る電力変換装置の構成図である。
【発明を実施するための形態】
【０００９】
図１は、本発明の実施の形態１に係る電力変換装置の構成図である。
図１の電力変換装置は、電力変換回路２を備えている。電力変換回路２は商用交流電源１に接続される。電力変換回路２は交流電圧を直流電圧に変換し、その直流電圧を直流負荷３に供給する。
また、図１の電力変換装置は、太陽光発電機１１及び蓄電器１２を備えている。そして、太陽光発電機１１と蓄電器１２との間に逆流防止ダイオード１３が設けられている。太陽光発電機１１は、例えば多結晶大型太陽電池（ソーラーパネル）から構成されており、発電出力として直流電圧を出力する。蓄電器１４は、切替スイッチ１４を介してアクティブノイズキャンセラー１５に接続されている。アクティブノイズキャンセラー１５への給電は切替スイッチ１４にて行われる。アクティブノイズキャンセラー１５は、商用交流電源１と、直流負荷３を駆動させるための電力変換回路２との間に接続される。このアクティブノイズキャンセラー１５は、ノイズとは逆位相の信号を作り出し、ノイズと重ね合わせることによりノイズを低減する。なお、上記の太陽光発電機１１、蓄電器１２及び逆流防止ダイオード１３が本発明の太陽光発電装置１０を構成し、上記の太陽光発電装置１０、切替スイッチ１４及びアクティブノイズキャンセラー１５が本発明のノイズ低減装置２０を構成している。
【００１０】
次に、動作について説明する。
太陽光発電機１１の発電出力は、逆流防止ダイオード１３を介して蓄電器１２に供給されて充電される。蓄電器１２から太陽光発電機１１側へは、逆流防止ダイオード１３により充電電流が逆流することが無い。このようにして蓄電器１２に蓄電された電力は切替スイッチ１４を切り替えることによりアクティブノイズキャンセラー用の駆動電源となる。アクティブノイズキャンセラー１５の停止時には切替スイッチ１４により、蓄電器１２とアクティブノイズキャンセラー１５とを切り離すことにより、太陽光発電機１１からの蓄電動作を行うことができる。アクティブノイズキャンセラー１５は、上記のように、商用交流電源１と電力変換回路２との間に接続されており、電力変換回路２や直流負荷３から発生するノイズとは逆位相の信号を作り出し、ノイズと重ね合わせることによりノイズを低減させる。
【００１１】
以上のように本実施の形態１によれば、アクティブノイズキャンセラー１５は蓄電器１２からの給電によって駆動されるため、アクティブノイズキャンセラー１５が自己の駆動電源のための電力変換装置を設ける必要が無い。このため、不要なノイズを発生することが無く、ノイズの低減動作を行うことができる。また、蓄電器１２は太陽光発電機１１から蓄電を行うため、蓄電器１２に蓄電するための充電回路、充電回路用の電力変換装置を必要としない。
【００１２】
また、本実施の形態１による電源変換装置は、上記のノイズ低減装置２０を搭載したことにより、電力変換回路２及び直流負荷３から発生するノイズを低減させることができる。
【００１３】
なお、上記の例では、電力変換回路２は交流電圧を直流電圧に変換する例について説明したが、交流電圧−交流電圧、直流電圧−直流電圧等の各種の電力変換を行うものについても同様に適用される。
【符号の説明】
【００１４】
１  商用交流電源、２  交流電力変換回路、３  直流負荷、１１  太陽光発電機、１２  蓄電器、１３  逆流防止ダイオード、１４  切替スイッチ、１５  アクティブノイズキャンセラー。
【図１】
2010178585.tif 000003
(57)【要約】【課題】生垣等の側面および上面を刈る場合に便利であって、枝葉が取り出しやすく、手入のしやすい収集箱を装着したヘッジトリマを提供すること。【解決手段】上記目的を達成するために、収集箱３の底部にヒンジ１０を設け収集箱３を展開可能に構成し、生垣等の側面を刈る場合には収集箱３を箱型形状で使用し、生垣等の上面を刈る場合には収集箱３を展開し、展開した収集箱３の基部３ａおよび蓋部３ｂを略水平にして大き目のチップレシーバとして使用できる構成とする。【選択図】図１
2010178660.tif 000002
【特許請求の範囲】
【請求項１】
枝葉を収集する収集箱を装着できるようにしたヘッジトリマにおいて、該収集箱は基部と蓋部から構成されており、該収集箱の底部にヒンジを備え、該ヒンジにて該基部と該蓋部を展開可能に接続したことを特徴とするヘッジトリマ。
【発明の詳細な説明】
【技術分野】
【０００１】
本発明は、展開可能な収集箱を装着したヘッジトリマに関するものである。
【背景技術】
【０００２】
特許文献１に開示された従来のヘッジトリマは、箱型のチップレシーバを装着しているので、生垣等の側面を刈り取る場合に刈り取った枝葉を容易に収集することができ、刈り取り作業後の清掃等の手間が省けるというものであった。
【先行技術文献】
【特許文献】
【０００３】
【特許文献１】特開２００１−７８５７１公報
【発明の概要】
【発明が解決しようとする課題】
【０００４】
特許文献１に開示された従来のヘッジトリマでは、箱型のチップレシーバを装着し、生垣等の側面を刈る場合は刈り取った枝葉を容易に収集することができるので都合が良かったが、生垣等の上面を刈る場合は大きな枝葉は収集箱に入りにくいという問題があった。また、収集した枝葉が取り出しにくい、箱型のチップレシーバの手入れがしにくいということもあった。
【０００５】
本発明は、上記問題を解決するためになされたもので、生垣等の側面および上面を刈る場合に便利であって、枝葉が取り出しやすく、手入のしやすい収集箱を装着したヘッジトリマを提供することを目的とする。
【課題を解決するための手段】
【０００６】
上記目的を達成するために、収集箱の底部にヒンジを設け収集箱を展開可能に構成し、生垣等の側面を刈る場合には収集箱を箱型形状で使用し、生垣等の上面を刈る場合には、収集箱を展開し大き目のチップレシーバとして使用できる構成とした。
【発明の効果】
【０００７】
本発明のヘッジトリマの収集箱は上記の構成としたので、生垣等の側面および上面を刈る場合に枝葉を効率的に収集でき、また、枝葉が取り出しやすく、手入がしやすいという効果がある。
【図面の簡単な説明】
【０００８】
【図１】本発明にかかる展開した収集箱が取り付けられているヘッジトリマの斜視図である。
【図２】本発明にかかる展開していない収集箱が取り付けられているヘッジトリマの斜視図である。
【発明を実施するための形態】
【０００９】
以下、本発明を実施するための好適な実施形態について、図面に基づいて説明する。
【実施例１】
【００１０】
図１において、１は本発明にかかるヘッジトリマで、２はヘッジトリマ本体であり本体ハンドル２ａを後方に備え、図示しないモータ等の駆動機構を内蔵している。３は刈り取った枝葉を収集する収集箱で、基部３ａと蓋部３ｂからなっている。４はヘッジトリマ１のハンドルであり、５はヘッジトリマ１の刈り刃である。６は刈り刃５を上下において挟持するブレードホルダーで、図１では上下のブレードホルダー６の内の上側のブレードホルダー６が見える。７は上側のブレードホルダー６に装着されたホルダーガイドであり、装着は、上側のブレードホルダー６の両側面に溝６ａ、６ａが設けられており、上側のブレードホルダー６の先端側から溝６ａ、６ａにホルダーガイド７を差し込んで図示しないネジ等で固定する。８はホルダーガイド７の図示しない突起部と結合する係止部であり、収集箱３をホルダーガイド７に止めるものである。１０は収集箱３の基部３ａと蓋部３ｂを展開可能に接続するヒンジで、収集箱３の底部に設けられ、収集箱３が箱型に閉じたときにはそれぞれの両サイドにある係合部９ａ，９ｂがかみ合って箱型が維持されるようになっている。
【００１１】
次にこのヘッジトリマ１の効果的な使用について説明する。生垣の上面をヘッジトリマ１で刈り取る作業においては、図１のように収集箱３を展開し、従来からあるチップレシーバ（例えば、特許第３１２１５８０号公報参照）のように使用することができる。このとき、例えば左手でハンドル４を、右手で本体ハンドル２ａを握って、展開した収集箱３の基部３ａおよび蓋部３ｂを略水平にして作業を行う。収集箱３を展開するためには、収集箱３の基部３ａと蓋部３ｂのそれぞれの両サイドにある係合部９ａ、９ｂの結合を解き、図１のように基部３ａに対して蓋部３ｂを展開する。このようにしてヘッジトリマ１を使用すると、大き目の枝葉であっても展開した基部３ａと蓋部３ｂの上に容易に収集できる。
【００１２】
生垣の側面をヘッジトリマ１で刈り取る作業においては、図２のように収集箱３を箱型に閉じ、例えば左手でハンドル４を、右手で本体ハンドル２ａを握って、収集箱３の開口を上向きにして作業を行う。収集箱３を箱型に閉じる場合は、収集箱３の基部３ａと蓋部３ｂのそれぞれの両サイドにある係合部９ａ、９ｂをかみ合わせて結合させればよい。なお、枝葉が収集箱３内でひっかかり取り出しにくい場合には、上記で説明したように収集箱３を展開すれば簡単に取り出すことができる。
【００１３】
図に基づいた説明においては、ホルダーガイド７上に設けた図示しない突起に収集箱３を係止した態様であったが、ホルダーガイド７を省略し、前記突起をブレードホルダー６上に直接設けて係止するようにしてもよい。また、ヒンジ１０は１つの場合で説明したが、収集箱３の底部を平に形成し複数のヒンジ１０を設けてもよい。
【産業上の利用可能性】
【００１４】
本発明にかかるヘッジトリマ１は、簡単な構成で収集箱３を展開することができるので、生垣等の側面および上面の刈り取りを行う場合に、それぞれの作業に適した態様に収集箱３を変形して効率的に枝葉を収集でき、また、刈り取った枝葉が取り出しやすく、手入がしやすいという効果があり極めて有用である。
【符号の説明】
【００１５】
１        ヘッジトリマ
２        ヘッジトリマ本体
３        収集箱
３ａ      基部
３ｂ      蓋部
４        ハンドル
５        刈り刃
６        ブレードホルダー
７        ホルダーガイド
８        係止部
９ａ      係合部
９ｂ      係合部
１０      ヒンジ
【図１】
2010178660.tif 000003
【図２】
2010178660.tif 000004
(57)【要約】【課題】焼きあがったシフォンケーキを冷ます際には、ワインなどの瓶の先端にケーキを型ごとひっくり返して差し込んでいたが、シフォンケーキ型が固定されていないので、不安定でひっくり返ることがあった。  【解決手段】ケーキ型の筒の部分にシャフト２を通し、アダプター５を取りつけることにより、安定した形でケーキ型を冷ますことができる。【選択図】図１
2010178951.tif 000002
【特許請求の範囲】
【請求項１】
シフォンケーキ型をシャフトに差し込み、様々なサイズのシフォンケーキ型に対応するアダプターで固定して安定させ、シフォンケーキを冷ますことができ、使用しない時にはペーパースタンドとして使用することが可能であることを特徴とするシフォンケーキ型スタンド。
【請求項２】
前記スタンドは、シフォンケーキ型を、シャフトに差し込み、シフォンケーキ型の上下に挟むアダプターは円錐形を組み合わせたものであることを特徴とする請求項１記載のシフォンスタンド。
【発明の詳細な説明】
【技術分野】
【０００１】
この発明は、焼きあがったシフォンケーキを型ごと冷ますためのスタンドの形状に関する。
【背景技術】
【０００２】
これまで、焼きあがったシフォンケーキを冷ますための道具というものがなく、ケーキを冷ます際には、ワインなどの瓶の先端に焼きあがったケーキを型ごとひっくり返して差し込んだり、皿を逆さにして、型を逆さにしたりして行っていた。
【発明の概要】
【発明が解決しようとする課題】
【０００３】
しかしながら、以上の技術によれば、シフォンケーキ型が固定されていないので、不安定でひっくり返ることもあった。  そこで、この発明は、シフォンケーキ型を安定させた形で冷ますことのできるスタンドを提供することを課題とする。
【課題を解決するための手段】
【０００４】
以上の課題を解決するために、第一発明は、シフォンケーキ型をシャフトに差し込み、様々なサイズのシフォンケーキ型に対応するアダプターで固定して安定させ、シフォンケーキを冷ますことができ、使用しない時にはペーパースタンドとして使用することが可能であるとこを特徴とするシフォンケーキ型スタンドである。  また、第二発明は、シフォンケーキ型を、シャフトに差し込み、シフォンケーキ型の上下に挟むアダプターは円錐形を組み合わせたものであることを特徴とするシフォンスタンドである。
【発明の効果】
【０００５】
第一発明によれば、シフォンケーキ型をスティックに差し込み、アダプターを設け、固定したので、安定し、持ち運びもできる。また使用しない時は、ペーパースタンドとして使用できるので、便利である。または第二発明によれば、固定用のアダプターが円錐形を組み合わせた形なので、シフォンケーキ型の様々な筒の直径に対応できる。
【図面の簡単な説明】
【０００６】
【図１】この発明の一実施形態を示す斜視図である。
【図２】シフォンケーキスタンドの部品図である。土台となるベースである。
【図３】シフォンケーキスタンドの部品図である。支え棒となるセンターシャフトである。
【図４】シフォンケーキスタンドの部品図である。高さを調節するスペーサーである。
【図５】シフォンケーキスタンドの部品図である。シフォンケーキ型の筒を支えるコーン形アダプターである。
【図６】シフォンケーキスタンドの部品図である。シフォンケーキ型の筒を支えるダブルコーン型アダプターである。
【図７】シフォンケーキスタンドの部品図である。ミニケーキ型の支え棒となるサイドシャフトである。
【図８】シフォンケーキスタンドの部品図である。ミニケーキ型の筒を支えるミニアダプターである。
【図９】シフォンケーキ型をセットした時の一実施形態を示す斜視図である。
【図１０】ミニシフォンケーキ型をセットした時の一実施形態を示す斜視図である。
【図１１】キッチンペーパーをセットした時の一実施形態を示す斜視図である。
【発明を実施するための形態】
【０００７】
この発明の一実施形態を、図１に示す。シフォンスタンドの本体は、木製であり、部品図２のベース１に部品図３のセンターシャフト２をベース１シャフト用ネジ穴に入れ、センターシャフト固定ネジ９で固定し、部品図４の高さ調整のスペーサー３、部品図５のコーン型アダプター４をセンターシャフト２に入れる。斜視図９の焼きあがったケーキの型１１を逆さにしてセンターシャフト２に差し込み、その上から、部品図６のダブルコーン型アダプター５をセンターシャフト２へ差し込み固定する。また、斜視図１０のミニシフォンケーキ１２を冷ます際の発明の一実施形態を、図１０に示す。ミニシフォンケーキ型を冷ます場合は、ベース１の両端にあるシャフト用ネジ穴８に部品図７のサイドシャフト６を差し込み固定する。ミニシフォンケーキ型１２を逆さにしてサイドシャフト６に差し込み、部品図８のミニアダプター７をサイドシャフト６に入れてミニシフォンケーキ型１２を固定する。さらに、キッチンペーパースタンドとして使用する際の一実施形態を図１１に示す。キッチンペーパースタンドとして使用する際は、ベース１にセンターシャフト２と２本のサイドシャフト６をベース１のシャフト用ネジ穴８に入れ、それぞれ、センターシャフト固定ネジ９、サイドシャフト固定ネジ１０で固定する。センターシャフトには、コーン型アダプター４、スペーサー３をいれ、上から図１１のキッチンペーパー１３をセンターシャフト２にいれ、その上からダブルコーン型アダプター５で固定する。キッチンペーパーをカットするためには、サイドシャフトの枝の部分を使用し、他方のサイドシャフト６には、ミニアダプター７を差し込むことによりミニアダプター７がすべて収納されることになる。
【０００８】
「実施形態の効果」
この実施形態によれば、シャフトにケーキ型を差し込み、上下のアダプターにより型を固定されるため、安定して、型を冷ますことができる。
「他の実施形態」
【符号の説明】
【０００９】
１  ベース  ２  センターシャフト  ３  スペーサー  ４  コーン型アダプター  
５  ダブルコーン型アダプター  ６  サイドシャフト  ７  ミニアダプター  
８  シャフト用ネジ穴  ９  センターシャフト固定ネジ  １０  サイドシャフト固定ネジ  
１１  シフォンケーキ型  １２  ミニシフォンケーキ型  １３  キッチンペーパー          
【図１】
2010178951.tif 000003
【図２】
2010178951.tif 000004
【図３】
2010178951.tif 000005
【図４】
2010178951.tif 000006
【図５】
2010178951.tif 000007
【図６】
2010178951.tif 000008
【図７】
2010178951.tif 000009
【図８】
2010178951.tif 000010
【図９】
2010178951.tif 000011
【図１０】
2010178951.tif 000012
【図１１】
2010178951.tif 000013
(57)【要約】      （修正有）【課題】ゴルフプレイヤーに対して、ショット時に安心感と良いイメージを与え、安定した方向性と飛距離を提供する。【解決手段】ゴルフティー１０のボール載せ部１と尖端部３の中ほどを大きくくびれさせ、尖端部は透明以外の色で形成し、くびれた部分２は透明かまたは透明に近い色で形成するゴルフティー。【選択図】図１
2010178986.tif 000002
【特許請求の範囲】
【請求項１】
ボール載せ部と尖端部を有し、その中ほどが細くくびれているゴルフティー。
【請求項２】
透明または透明に近い色からなる請求項１に記載のゴルフティー。
【請求項３】
尖端部が透明以外の色からなる請求項１に記載のゴルフティー。
【発明の詳細な説明】
【技術分野】
【０００１】
この発明はゴルフのティーショットにおいて、ゴルファーにショット時に安心感と集中力を与え、安定した方向性と飛距離をもたらすゴルフティーに関するものである。
【背景技術】
【０００２】
ゴルフのティーショットでは、ゴルファーは木製や樹脂製のティーを地面に刺し、その上にボールを載せて目標方向にショットする。ゴルフでは、ティーショットの方向性が良いことや飛距離を伸ばすことがスコアを良くするための重要な要因であるが、ほとんどのゴルファーはそれを実現できないでいる。
【０００３】
そのため、ティーショットにおいて、インパクト時のボールとティーのボール載せ部との抵抗を低減して飛距離を伸ばすといったゴルフティーが、特許３９６７６８６において提案されている。また、特許公開２００７−９８０８５において、方向性を良くするティーが提案されている。
【０００４】
しかしながら、特許３９６７６８６においては、ボール載せ部の胴体部分が極端に太く、ゴルファーに大きな違和感とインパクトでの不安イメージを与えている。
【先行技術文献】
【特許文献】
【０００５】
【特許文献１】特許公開２００７−９８０８５
【発明の概要】
【発明が解決しようとする課題】
【０００６】
この発明は前述した問題点を解決するものであり、ゴルフのティーショット時のゴルファーのティーに対する違和感や、インパクト時の不安を取り除くことができるゴルフティーを提供しようとするものである。
【課題を解決するための手段】
【０００７】
以上の課題を解決するため、この発明はボール載せ部と土に刺す尖端部分の間に細いくびれ部分を設け、かつ、くびれ部分が透明か透明に近い色をしたことを特徴とするものである。
【０００８】
この発明はボール載せ部とは異なる先端部との間が、大きくくびれていることを特徴とするものである。
【０００９】
この発明の前述くびれ部分は透明か透明に近い色であることを特徴とするものである。
【発明の効果】
【００１０】
この発明によれば、ゴルフのティーショット時にゴルファーに対して、違和感や不安を取り除き、安心感を与えて集中力を高めることができる。
【図面の簡単な説明】
【００１１】
【図１】この発明の全体図である。
【図２】この発明を実際に使用する場合の全体図である。
【発明を実施するための形態】
【００１２】
図１は本発明のゴルフィテー１０である。
図１に示すように、ゴルフティー１０はボール載せ部１と、くびれ部２、尖端部３から形成されている。
【００１３】
ゴルフティー１０は樹脂製であり、その長さは３０ｍｍから７０ｍｍである。ボール載せ部１は、ゴルフボールを載せる部分であり、ボール載せ部１の中心はゴルフボールを安定させるために窪んでいる。
【００１４】
尖端部３は、その先から２０ｍｍほどまで緩やかなテーパーなっていて、透明以外の色が着いている。
【００１５】
くびれ部２は、ボール載せ部１と尖端部３の中ほどに位置し、１ｍｍから３ｍｍほどの径で形成されていて、透明または透明に近い色をしている。
【００１６】
図２は本発明の実施形態を示す図である。
図２に示すように、ゴルフティー１０は尖端部３を土に刺し、ボール載せ部１にゴルフボールを載せる。
【００１７】
図２のように設置が完了した後、ゴルファーは目標を定めてティーショットをするわけだが、アドレスを決めた状態でボールを見ると、ティーの存在が全く気にならない。これは、ゴルフティー１０の土に刺した部分以外が透明で、なおかつ細いからである。
【００１８】
そのため、ゴルファーはボールのみに集中することが可能で、安定したティーショットをすることができるものである。
【００１９】
ゴルフティー１０のくびれ部分２は、ティーショットに耐えうる構造上の限界の細さでなっているため、ゴルファーはインパクト時のゴルフティーとゴルフクラブヘッドとの衝撃をイメージすることなく、思い切りスイングすることが可能で、結果的にスイング全体が安定し、飛距離が伸び、方向性が安定するのである。
【００２０】
これは、ゴルフは人間がプレイする精神的な部分を多く要求する競技であるので、ティーショットの不安やマイナスイメージを、ゴルフティーの形状を視覚とイメージという部分において取リ除いた結果である。
【００２１】
尖端部３は白や赤などの目立ちやすい色でなっているため、ティーショット後にティーは容易に探すことができる。
【産業上の利用可能性】
【００２２】
この発明のゴルフティーによれば、ゴルフの初心者から上級者にまで、ティーショット時に安心感と集中力を与え、安定した方向性と飛距離を提供できる。
【符号の説明】
【００２３】
１  ボール載せ部
２  くびれ部
３  尖端部
４  ゴルフボール
５  地面
【図１】
2010178986.tif 000003
【図２】
2010178986.tif 000004
(57)【要約】【課題】従来の設備機器等の基礎工事においては、コンクリートに適正な強度が出るまで次の工程に進めないので、施工の条件（外気温など）によっては、機器を設置できるまで工事の工程が１週間から数週間かかっていた。また、ほとんどの現場で使用されている  あと施工アンカーは、アンカーボルトと比較し、施工は簡単だが、強度は小さくなる簡易的な施工方法である。機器の設置される部分のコンクリート天端のレベルを調整することに、技術と時間を要していた。工期短縮のためにプレキャスト製品が有るが、不陸を直さないと使用できないのと使用目的が限定される物であった。【解決手段】上記の課題を除くためには、コンクリートを打つ前にベース付アンカーボルトの上に機器を設置し、レベル合わせとボルト締めを行った後にコンクリートを打ち込めば、上記の欠点は全て解消できる。【選択図】図５
2010281114.tif 000002
【特許請求の範囲】
【請求項１】
ベースの上にメインアンカーボルトを立てる、この時、長さを調整するためのナットと機器を設置するときのレベル調整用のナットを設け、地盤にこれを設置した後に機器をメインアンカーボルトに設置する、もしくは先に機器の柱脚に設置した後、設置場所に下ろしてレベルを合わせ設置を完了させる、いずれの場合もサブアンカーボルトが必要な場合はその設置も同時に行うベース付アンカーボルト。
【請求項２】
地盤に不陸が有ったりベースが安定しづらい場合に地盤にアンカーを打ち込むための穴をベースに設けた請求項１記載のベース付アンカーボルト。
【発明の詳細な説明】
【技術分野】
【０００１】
この発明は、基礎のコンクリートを打設する前に、上部の機器類を固定し、その後にコンクリートを打つ事の出来る、ベース付アンカーボルトに関するものである。
【背景技術】
【０００２】
本来、コンクリートの基礎を作成する場合、アンカーボルトを正確に入れる必要が有るが、アンカーセットが難しい土間の場合、コンクリート打設時にアンカーボルトが位置ずれを起こす確立が高く修正に手間と労力がかかっていた。この為に、コンクリートが固まるのを待って、アンカーの位置出しを行い、ドリルで穴を開けて“あと施工アンカー”を打ち込んでいた。あと施工アンカーは、施工が簡単ではあるが、コンクリートの強度が適正値になるのを待って打ち込まないといけないので、アンカーセットをする工法と比べ数週間程次の工程に進めなかった。これが施工期間を長くしている要因であった。
【０００３】
そこで、工期短縮を目的とした、プレキャストコンクリートの製品もあるが、用途がある程度限定され、小規模の物にしか対応できていない、なお一番の欠点は、レベル差の無い平坦な所にしか設置出来ないので、使用できる場面が非常に限られる点である。
【０００４】
コンクリートの天端押さえは左官職人の技量が問われる、特に大型機器を設置する場合に３点支持の場合は不陸が有ってもガタツキは無いが、４点以上の支持になると、不陸が有れば機器の座りが悪く、ガタツキが起こっていた。
【発明の概要】
【発明者が解決しようとする課題】
【０００５】
これには次のような欠点があった。
(イ)コンクリートに適正な強度が出るまで次の工程に進めないので、施工の条件（外気温など）によっては、工事の工程が１週間から数週間長くなっていた。
(ロ)あと施工アンカーは、アンカーボルトと比較し、施工は簡単だが、引き抜き強度は小さくなってしまう。
(ハ)プレキャスト製品は、不陸を直さないと使用できなかった。
(二)機器の設置される部分のコンクリート天端のレベルを調整することに、技術と時間を要していた。
【０００６】
本発明は、以上のような問題を解決しようとするものである。
【課題を解決するための手段】
【０００７】
上記の課題を除くためには、コンクリートを打って、コンクリートに強度が出てから工程を進めるという既成概念を払拭する必要が有る。つまり、コンクリートを打つ前にベース付アンカーボルトの上に機器を設置し、レベル合わせとボルト締めを行った後にコンクリートを打ち込めば、上記の欠点は全て解消できる。
【発明の効果】
【０００８】
ベース付アンカーボルトに機器を固定した後でコンクリートを打つので、コンクリート打設後にアンカーボルトにずれが生じたり、設置箇所でレベルが合っていない、という不具合は、解消します。
【０００９】
コンクリートを打設した直後から次の工程に進むので、数週間の工期が短縮される。
【発明を実施するための最良の形態】
【００１０】
以下、本発明を実施の形態を図１〜図５に基づいて説明する。
【００１１】
先ず、荷重を支えるベースプレート１にメインアンカーボルト３を長さ調整用上ナット４及び長さ調整用下ナット５で固定する。この時に、設置場所のコンクリートの厚みと設置後の首の出を考慮し締め付けの位置を微調整する。
【００１２】
地盤が傾斜しているなどの要因でメインアンカーボルト３が垂直に立っていない場合や、地盤に引っ張り反力を期待する場合は目的に応じたアンカーを、地盤アンカー用穴６を使って地盤に打ち込むこととする。
【００１３】
その後、レベル調整用ナット２の天端でレベル合わせを行い、機器を設置し、機器柱脚固定ナット１１を締め付け、固定を完了し、コンクリート１２を機器の柱脚金物下端まで打設をおこなう。
【００１４】
１つの柱脚金物を２本以上のアンカーボルトで止める場合は、図３のようにサブアンカーボルト８を固定する機器の柱脚金物７にサブアンカーボルト固定用上ナット９とサブアンカーボルト固定用下ナット１０で仮固定し、メインアンカーボルト３に設置する。
【００１５】
その後、図４のようにサブアンカーボルト固定用上ナット９と、サブアンカーボルト固定用下ナット１０を調整し、サブアンカーボルト８の下端がベースプレート１に接する所で固定し、メインアンカーボルト３と固定する機器の柱脚金物７とを機器柱脚固定ナット１１で固定を完了し、コンクリート１２を打設する。
【００１６】
以上のように、本実施形態によれば、アンカーボルトにコンクリートを付着させることが出来、コンクリートの養生期間に全く影響を受けないので、工期を大幅に短縮することが可能となる。
【図面の簡単な説明】
【００１７】
【図１】図２におけるＡ−Ａ線断面図
【図２】本発明の実施形態を示すまえ施工アンカーボルトの平面図
【図３】サブアンカーボルトを固定する機器の柱脚金物に設置した断面図
【図４】固定する機器の柱脚金物をメインアンカーボルトに設置した断面図
【図５】コンクリート打設後の断面図
【符号の説明】
【００１８】
１    ベースプレート
２    レベル調整用ナット
３    メインアンカーボルト
４    ベース固定用上ナット
５    ベース固定用下ナット
６    地盤アンカー用穴
７    固定する機器の柱脚金物
８    サブアンカーボルト
９    サブアンカーボルト固定用上ナット  
１０  サブアンカーボルト固定用下ナット
１１  機器柱脚固定ナット
１２  コンクリート
【図１】
2010281114.tif 000003
【図２】
2010281114.tif 000004
【図３】
2010281114.tif 000005
【図４】
2010281114.tif 000006
【図５】
2010281114.tif 000007
(57)【要約】      （修正有）【課題】屋上スラブ雨漏り改修工事に置いて、旧防水シートを剥がす際に起こる手間、時間的ロスが無くなり楽で簡単にシート剥がしができる。【解決手段】旧防水シート剥がした後に新防水シート張替改修工事又はＦＲＰ防水改修工事に置いて、クランプ及びアルミ製鋏板１にて防水シートを挟み、ローラー付きジャッキ２でワイヤーを保持しながら、パラペットに固定したジャッキ４に固定したウインチ３で、スラブから防水シートを引き剥がす。【選択図】図１
2010281189.tif 000002
【特許請求の範囲】
【請求項１】
屋上スラブ防水シートはがし機具
【請求項２】
屋上スラブ、パラペットにウインチ架台及機具をセット
【発明の詳細な説明】
【技術分野】
【０００１】屋上スラブ防水シート剥がし機具
【背景の技術】
【０００２】防水シートが簡単でらくに剥がしが出来る防水シートの剥しが時間的に短縮出来る
【発明の開示】
【発明が解決しようとする課題】
【０００３】屋上スラブ、パラペット部分に架台を取り付けウインチをセットする
【課題を解決するための手段】
【０００４】以上延べた屋上スラブ雨漏り改修工事において、防水シート剥がした後に防水シート張替え改修工事又はＦＲＰ防水改修工事において各部品をセットする事により工事が簡単で時間的なロスがなくなる。
【図面の簡単な説明】
【０００５】
【図１】スラブ防水シートはがし機具    断面図
【図２】スラブ防水シートはがし機具    断面図
【符号の説明】
【０００６】▲１▼  アルミ製シート鋏板、クランプ、ワイヤー付きシート鋏具▲２▼  ジャッキー及ローラー付き架台▲３▼  ウインチボックス架台▲４▼  バラペット部分にジャッキー付き架台を固定
【図１】
2010281189.tif 000003
【図２】
2010281189.tif 000004
(57)【要約】【課題】本発明は、キッチンシンクで洗い物など前傾姿勢での作業を行う際、膝や太もも、腹などで前にもたれることができる、シンクに取り付けられるクッションを提供する。【解決手段】  シンクの手前に掛けられるフックを作成する。そのフックの上部に取っ手を設け、下部の両側に穴を設ける。  クッションの両側に帯ひもを設ける。その帯ひもをフック下部の穴に通し、帯ひもを結ぶことでクッションを固定する。  以上よりなるシンクに取り付けられるクッションである。【選択図】図３
2010281190.tif 000002
【特許請求の範囲】
【請求項１】
フックの上部に取っ手を設け、下部の両側に穴を設けた、シンクの手前に掛けることができるフック。
【請求項２】
クッションの両側に帯ひもを設けた、シンクの手前に掛けることができるフックに取り付けるクッション。
【発明の詳細な説明】
【技術分野】
【０００１】  本発明は、キッチンシンクで洗い物などの作業を行う際、前傾姿勢をとることによって起こる足や腰への負担を軽減するために、シンクの手前に取り付けて、前にもたれ掛かりながら作業ができるクッションに関するものである。
【背景技術】
【０００２】  従来、キッチンシンクでの調理や洗い物などの作業では、前傾姿勢をとることによって、足や腰への負担が大きくかかっていた。そこで、シンクの手前にクッションを取り付け、前にもたれ掛かりながら作業を行うことで、その負担が軽減されることを思いついたが、そのように利用できるクッションがなかった。
【発明の概要】
【発明が解決しようとする課題】
【０００３】  そのために次のような問題点があった。
（イ）    シンクにクッションを取り付ける方法がない。
（ロ）    そのクッションがない。
本発明は、以上の問題点を解決するためになされたものである。
【課題を解決するための手段】
【０００４】  シンクの手前に掛けられるフックを作成し、そのフックの上部に取っ手を設け、下部にクッションを繋ぐための穴を設ける。
クッションの両側に、フック下部の穴に通し、結んで固定するための帯ひもを設ける。
本発明は、以上の構成よりなるシンクに取り付けられるクッションである。
【発明の効果】
【０００５】  シンクの手前にクッションを容易に取り付けられるようになった。また、取っ手を設けたことで取り外しが容易に行え、帯ひもを結ぶ長さを調節することで、クッションを固定する高さの調節が可能となった。
このクッションがあることによって、膝や太もも、腹などで、前にもたれ掛かることができるようになり、前傾姿勢での洗い物などの作業時における、足や腰への負担を軽減させる効果が期待できる。
【図面の簡単な説明】
【０００６】
【図１】本発明のフック部の斜視図
【図２】本発明のクッション部の平面図
【図３】本発明の使用状態を示すシンクの側面図
【発明を実施するための形態】
【０００７】  以下、本発明の実施の形態を説明する。
（イ）シンクの手前に掛けることができるフック（２）を作成し、その上部に取っ手（１）を設け、下部に穴（３）（３）を設ける。
（ロ）クッション（４）の両側に帯ひも（５）（５）を設ける。
本発明は以上のような構造でこれを使用するときは、フック（２）をシンクの手前に掛け、クッション（４）の帯ひも（５）（５）をフックの穴（３）（３）に通して結ぶことでクッションを取り付ける。
【符号の説明】
【０００８】  （１）取っ手、（２）フック、（３）穴、（４）クッション、（５）帯ひも
【図１】
2010281190.tif 000003
【図２】
2010281190.tif 000004
【図３】
2010281190.tif 000005
(57)【要約】【課題】  壁紙の張り替え時にどんな下地が使用されているかが剥がしてからでないとわからない場合が多い、又、壁紙を張り替えによつて、下地に水分のを与えその水分が蒸発によって、下地からホルムアルデヒドを引き出し放散する、従って人間に刺激臭を与えてしまの等が問題となっている。【解決手段】  施工に使用する接着剤、シ−ラ−等にホルムアルデヒドとすばやく反応する性質を与えることによって、下地の交換や工程を増やすことなく、ホルムアルデヒドを低減できる方法である。【特許請求の範囲】
【請求項１】
壁紙施工に於いて、下地材から放出されるホルムアルデヒドとすばやく反応して、ホルムアルデヒドの刺激臭等を低減する壁紙施工用接着剤及び下地調整剤（シ−ラ−・パテ）の製造方法。又、現場にて壁紙施工用接着剤とホルムアルデヒドの放出量を低減する反応剤（ホルムアルデヒドキャッチャ−剤）を配合して使用する接着剤も含む。
【請求項２】
下地から放出されるホルムアルデヒドの低減だけでなく、通気性のある壁紙施工の場合は、室内空気の臭気も低減する効果。又、抗菌剤、等の配合によって壁紙の抗菌性を与える等の壁紙施工用接着剤の製造方法。
【発明の詳細な説明】
【技術分野】
【０００１】  本発明は、ホルムアルデヒドとすばや反応してホルマリン刺激臭を低減する性質を持った壁紙施工用接着剤、下地調整剤の製造方法であり、壁紙施工の工程を増やすことなく住宅室内空気の清浄化と、施工分野に広く利用出来る技術を寄与するものである。
【背景技術】
【０００２】  従来は、特に壁紙の張り替え時に、ホルムアルデヒドの放出する下地かどうかは判明できない場合が多く、壁紙を施工してから刺激臭がする等のクレ−ムが発生している。
【発明の概要】
【発明が解決しようとする課題】
【０００３】  従来は、壁紙施工用でん粉系接着剤と壁紙のホルムアルデヒドの放出量を規制することで解決すると考えられていたが、特に張り替えの下地（ベニヤ合板等）から再度壁紙施工用でん粉系接着剤の水分を下地に与える結果、水分の移行、乾燥によってホルムアルデヒドの放出が考えらる、又、下地の見極めが困難なこと等から、簡単で安価にホルムアルデヒドの放出を低減できる方法がなく課題となっている。【０００４】  本発明は、下地を新しくすることなく、従来の下地パテ補修する程度で、下地から放出された場合はすばやくホルムアルデヒド反応して、ホルムアルデヒドの放出を低減できる壁紙施工用でん粉系接着剤の開発を目的とします。
【課題を解決するための手段】
【０００５】  そして、本発明は上記目的を達成するために、壁紙の施工に使用する壁紙施工用でん粉系接着剤と変化なく配合ができ、ホルムアルデヒドと、すばやく反応を起こす等の性質を考慮した反応剤を選定して構成する。【０００６】  反応剤の条件として、壁紙施工用でん粉系接着剤との配合による接着力、色彩、ＰＨ、手あれ、臭い、等に異常を起こさない事が必要条件です。又、ホルムアルデヒド、アセトアルデヒド等とすばやく反応しなければならない。
【発明の効果】
【０００７】  上記のように本発明のホルムアルデヒドを低減する法として、壁紙を施工する時に使用する接着剤及び下地調整剤に、ホルムアルデヒドを低減する性能を付加した製品を、提供することにより、別に新たな工程を増やすことなく、壁紙施工後のホルムアルデヒドを低減かできる
【発明の実施するための形態】
【０００８】  以下、本発明の形態と実施について説明する。
【０００９】  ホルムアルデヒドを低減する壁紙施工用接着剤、下地調整剤は、ホルムアルデヒドと反応する反応剤、接着安定剤、等を工場、使用現場で任意に配合して製造する。
【００１０】  本発明は、以上のように構成された、壁紙施工用接着剤、下地調整剤は、配合割合によって多少の差は生じが以下に記載するような効果を発揮する。
【００１１】  試験には、ホルムアルデヒド放散量試験（デシケ−タ−法）にて、幅５０ｍｍ×長さ１５０ｍｍ×暑さ２．５ｍｍの試験片を用います。塗布量は下地調整剤（１０ｇ／９００ｃｍ２）接着剤（２００ｇ／９００ｃｍ２）として室温にて３日間養生する。
【００１２】  ガラス製のデシケ−タ−内に蒸留水３００ｍｌと、養生した１組の試験片をセットして、２４時間静置させます。これにより試験片から放散したホルムアルデヒドが蒸留水に溶け込みます。この溶液を吸光光度法によって分析し、ホルムアルデヒドの濃度（単位：ｍｇ／Ｌ）を求めます。
【００１３】  上記試験により、標準配合の結果として、未処理合板（０．２７ｍｇ／Ｌ）に対して接着剤を２００／ｍ２塗布した合板からのホルムアルデヒド放散量が（０．０８ｍｇ／Ｌ）低減したをことをを確認することができた。
【００１４】  下地調整剤（シ−ラ−、パテ等）についても低減効果が認められた。又、通気のある壁紙を施工した場合は、室内に放出されるホルムアルデヒドの低減も考えられる。
【００１５】  接着力試験について、ＪＩＳＡ６９２２：２００３（壁紙施工用及び建具でん粉系接着剤）の５．２接着強さ試験法を用いて接着力試験を行った結果、無添加接着剤との差が生じなかった。又、接着剤の経時変化については１ヶ月後の試験も同様の結果が確認できた。下地についての接着力比較試験についても、一般的な石膏ボ−ド、ベニヤ、コンクリ等への接着性に異常がないことが確認できた。
(57)【要約】【課題】狭小地で地下室のある既存建物の建替えを行う場合、土留め壁を施工するための施工機械が搬入出来なかったり、既存建物が境界線付近にあり、山留め壁を施工することが不可能だったりした。また、解体完了後、地盤面まで一旦、土の埋戻しを行うため、再度地下構築の際、土の搬出と山留め作業が発生して二度手間になった。そのため、工期も費用もかかり、近隣から振動・騒音の苦情も多かった。【解決手段】既存の地下壁（１）及び耐圧盤（２）を残し山留めとして利用し、その内側に新たな地下壁（３）及び耐圧盤（４）を構築する、その際、地盤面までの埋戻しは行わず、山留め代わりに利用している既存地下耐圧盤（２）まで杭打ち機を下ろして杭打設に必要な部分のみ耐圧盤（２）を解体する。更に、既存の地下壁（１）内側に新たな地下壁（３）を設けたため、狭くなることを解消するため地下室及び地上の建物（６）をすべて、鉄骨造で行う。【選択図】図１
2010281185.tif 000002
【特許請求の範囲】
【請求項１】
既存の地下壁（１）及び耐圧盤（２）を残し山留めとして利用し、その内側に新たな地下壁（３）及び耐圧盤（４）を構築する、その際、地盤面までの埋戻しは行わず、山留め代わりに利用している既存地下耐圧盤（２）まで杭打ち機を下ろして杭打設に必要な部分のみ耐圧盤（２）を解体する。更に、既存の地下壁（１）内側に新たな地下壁（３）を設けたため、狭くなることを解消するため地下室及び地上の建物（６）をすべて、鉄骨造で行う、既存地下室がある建築物の建替え構法
【発明の詳細な説明】
【技術分野】
【０００１】この発明は、狭小地で近隣建物と隣接していて建替えの際、地下室の解体が困難な場合の地下の解体と躯体の構築に関する施工方法である。
【背景技術】
【０００２】従来、地下室の解体は、隣地境界と既存地下壁の間に土留め壁を仮設で設け隣接建物や地盤の崩壊や崩落を防止したうえで解体を行い、解体終了次第、地盤面まで埋戻しを行い、杭打ち工事を行い、再度、地下構築のため土の般出を行い、鉄筋コンクリート造の地下室を構築していた。
【発明の開示】
【発明が解決しようとする課題】
【０００３】これは、次のような欠点があった。
狭小地であるため、土留め壁を施工するための施工機械が搬入出来なかったり、既存建物が境界線付近にあり、山留め壁を施工することが不可能だったりした。また、解体完了後、地盤面まで一旦、土の埋戻しを行うため、再度地下構築の際、土の搬出と山留め作業が発生して二度手間になった。そのため、工期も費用もかかり、近隣から振動・騒音の苦情も多かった。
本発明は、以上のような欠点をなくすためになされたものである。
【課題を解決するための手段】
【０００４】既存の地下壁（１）及び耐圧盤（２）を残し山留めとして利用し、その内側に新たな地下壁（３）及び耐圧盤（４）を構築する、その際、地盤面までの埋戻しは行わず、山留め代わりに利用している既存地下耐圧盤（２）まで杭打ち機を下ろして杭打設に必要な部分のみ耐圧盤（２）を解体する。更に、既存の地下壁（１）内側に新たな地下壁（３）を設けたため、狭くなることを解消するため地下室及び地上の建物（６）をすべて、鉄骨造で行う。
本発明は、以上の構成よりなる既存地下室がある建築物の建替え構法である。
【発明の効果】
【０００５】既存の解体で発生するコンクリートガラ・鉄筋などが減少する。
既存の躯体を残して施工を行うので近隣への悪い影響が改善される。
既存の地下壁及び耐圧盤を山留めとして利用しているため、新たな山留めを施工する必要が無く工期短縮、コストダウン、安全性が向上する
土の埋戻しと搬出の二度手間の必要が無くなるため、工期短縮、コストダウン・振動が減少する。
地下構築の際、既存壁の内側に新たな壁を設けたため狭くなるのを解消するため躯体は、すべて鉄骨造で行うため、工期短縮が見込める。
【発明を実施するための最良の形態】
【０００６】以下、本発明を実施するための最良の形態について説明する。
既存の地下壁（１）及び耐圧盤（２）を山留めとして利用する。
耐圧盤（２）に杭打ち機を下ろして鋼製スクリューパイル（５）を打設する。
既存の地下壁（１）及び耐圧盤（２）の内側に新たな地下壁（３）及び耐圧盤（４）を設ける。
ピット部（６）に鉄筋コンクリート製の地中梁を設け、地下室及び地上建物（７）を鉄骨造で構築して、１階部分より鉄骨で持ち出し（８）を行い地上部の面積を確保する。
【図面の簡単な説明】
【０００７】
【図１】  本発明の断面図
【図２】  本発明の平面図
【符号の説明】
【０００８】１  既存地下壁
２  既存耐圧盤
３  新たな地下壁
４  新たな耐圧盤
５  鋼製スクリューパイル
６  ピット部
７  地下室及び地上建物
８  持ち出し
【図１】
2010281185.tif 000003
【図２】
2010281185.tif 000004